(57)【要約】  フレキシブル電子デバイスを提供することができる。フレキシブル電子デバイスは、フレキシブル電子デバイスが変形することを可能にするように構成される、フレキシブルディスプレイ、フレキシブル筐体、及び１つ以上の可撓性の内部構成要素を含み得る。フレキシブルディスプレイは、フレキシブルディスプレイ層、可撓性タッチ感知層、及びフレキシブルディスプレイカバー層を含み得る。フレキシブル筐体は、１つ以上の安定位置を有する、多安定フレキシブル筐体とすることができる。フレキシブル筐体は、係合する場合に、フレキシブル筐体のための剛性支持構造を提供する、構成可能支持構造を含み得る。可撓性の内部構成要素は、フレキシブルバッテリ、フレキシブルプリント回路、又は他の可撓性構成要素を含み得る。フレキシブルバッテリは、可撓性部分及び剛性部分を含み得るか、又は、フレキシブルバッテリに可撓性度をもたらす潤滑セパレータ層を含み得る。フレキシブルプリント回路は、可撓性部分及び剛性部分を含み得るか、又は、一部の剛性部分が他の剛性部分に対して屈曲することを可能にする開口部を含み得る。
2015501461.tif 000002
【特許請求の範囲】
【請求項１】
フレキシブル電子デバイスであって、
変形可能材料から形成されるフレキシブル筐体と、
前記フレキシブル筐体と共に屈曲するように構成されるフレキシブルディスプレイと、を備える、フレキシブル電子デバイス。
【請求項２】
前記フレキシブル筐体が、前記変形可能材料から形成されるフレキシブル筐体側壁部と、前記変形可能材料から形成される可撓性の裏側筐体壁部と、を含む、請求項１に記載のフレキシブル電子デバイス。
【請求項３】
前記フレキシブル筐体内に、少なくとも１つの可撓性電子構成要素を更に備え、前記フレキシブル筐体、前記フレキシブルディスプレイ、及び前記少なくとも１つの可撓性電子構成要素は、前記フレキシブル電子デバイスが屈曲することを可能にするように構成される、請求項２に記載のフレキシブル電子デバイス。
【請求項４】
前記少なくとも１つの可撓性電子構成要素が、フレキシブルプリント回路を含む、請求項３に記載のフレキシブル電子デバイス。
【請求項５】
前記少なくとも１つの可撓性電子構成要素が、少なくとも１つの剛性部分及び少なくとも１つの可撓性部分を有する、プリント回路基板を含む、請求項３に記載のフレキシブル電子デバイス。
【請求項６】
前記少なくとも１つの可撓性電子構成要素が、開口部、剛性の中央部分、及び少なくとも１つの更なる剛性部分を有する、リジッドプリント回路基板を含み、前記開口部が、少なくとも部分的に、前記剛性の中央部分と前記少なくとも１つの更なる剛性部分との間に形成され、前記開口部により、前記少なくとも１つの更なる剛性部分が、前記剛性の中央部分に対して屈曲することが可能となる、請求項３に記載のフレキシブル電子デバイス。
【請求項７】
前記剛性の中央部分に取り付けられた第１の電子構成要素、及び前記少なくとも１つの更なる剛性部分に取り付けられた第２の電子構成要素を更に備える、請求項６に記載のフレキシブル電子デバイス。
【請求項８】
前記少なくとも１つの可撓性電子構成要素が、フレキシブルバッテリを含む、請求項３に記載のフレキシブル電子デバイス。
【請求項９】
前記フレキシブルバッテリが、複数の円筒形バッテリセル、及び複数の可撓性部分を含む、請求項８に記載のフレキシブル電子デバイス。
【請求項１０】
前記フレキシブルバッテリが、可撓性シート上に取り付けられた複数のバッテリコインセルを含む、請求項８に記載のフレキシブル電子デバイス。
【請求項１１】
前記フレキシブルバッテリが、
複数のカソード層と、
複数のアノード層と、
前記複数のアノード層のうちの対応する１つと前記複数のカソード層のうちの対応する１つとの間にそれぞれが挿入される、複数のセパレータ層と、
前記複数のカソード層のうちの少なくとも１つと前記複数のアノード層のうちの少なくとも１つとの間に挿入され、かつ前記複数のセパレータ層のそれぞれよりも潤滑性である、少なくとも１つの潤滑セパレータ層と、を含む、請求項８に記載のフレキシブル電子デバイス。
【請求項１２】
バッテリパウチを更に備え、前記複数のカソード層、前記複数のアノード層、前記複数のセパレータ層、及び前記少なくとも１つの潤滑セパレータ層が、前記パウチ内でバッテリ層のロールを形成する、請求項１１に記載のフレキシブル電子デバイス。
【請求項１３】
前記フレキシブル筐体が、
空洞部、及び
前記空洞部を部分的に充填する流体を含み、
前記フレキシブル筐体が、前記フレキシブル電子デバイスを変形させることを可能にする可撓性度を有し、前記可撓性度が、前記フレキシブル電子デバイスの変形の間の、前記空洞部内の前記流体の圧力増大により、前記フレキシブル電子デバイスの変形の間に減少するように構成される、請求項１に記載のフレキシブル電子デバイス。
【請求項１４】
フレキシブル電子デバイスであって、
フレキシブル筐体と、
フレキシブルディスプレイと、
フレキシブルバッテリと、
少なくとも１つの可撓性部分を有するプリント回路と、を備え、前記フレキシブルディスプレイ、前記フレキシブルバッテリ、及び前記プリント回路が、前記フレキシブル筐体内に取り付けられ、前記フレキシブル筐体、前記フレキシブルディスプレイ、前記フレキシブルバッテリ、及び前記プリント回路が、前記フレキシブル電子デバイスの少なくとも一部分の変形を可能にするように構成される、フレキシブル電子デバイス。
【請求項１５】
前記変形を感知するように構成された内部構成要素を更に備える、請求項１４に記載のフレキシブル電子デバイス。
【請求項１６】
更なる内部構成要素を更に備え、前記更なる内部構成要素が、前記更なる内部構成要素と前記内部構成要素との距離を感知して、前記距離が前記変形により既定の閾値を下回る場合、前記フレキシブル電子デバイスの動作モードを変更するように構成される、請求項１５に記載のフレキシブル電子デバイス。
【請求項１７】
前記内部構成要素がスイッチを含み、前記フレキシブル電子デバイスの前記少なくとも一部分の前記変形が、前記フレキシブル電子デバイスの前記部分を、前記内部構成要素と接触するように移動させることにより、前記スイッチを操作する、請求項１５に記載のフレキシブル電子デバイス。
【請求項１８】
前記フレキシブルディスプレイが、
フレキシブルディスプレイ層と、
可撓性タッチ感知層と、を含む、請求項１４に記載のフレキシブル電子デバイス。
【請求項１９】
前記フレキシブル筐体が、
少なくとも１つの剛性部分と、
前記フレキシブル電子デバイスの前記部分の前記変形を可能にする、少なくとも１つの弾性部分と、を含む、請求項１４に記載のフレキシブル電子デバイス。
【請求項２０】
前記フレキシブル筐体が、
可撓性度を有する可撓性シートと、
前記可撓性シートの前記可撓性度よりも小さい可撓性度を有する支持構造と、を含み、
前記支持構造が、前記可撓性シートに取り付けられて、前記可撓性シートの寸法に沿って延在することにより、前記寸法に垂直に延びる軸を中心とする屈曲を低減する、請求項１４に記載のフレキシブル電子デバイス。
【請求項２１】
前記フレキシブル筐体が、少なくとも第１の安定位置及び第２の安定位置を有する、多安定フレキシブル筐体を含み、前記フレキシブル電子デバイスの前記少なくとも一部分の前記変形が、前記第１の安定位置から前記第２の安定位置に前記フレキシブル筐体を変形させる、請求項１４に記載のフレキシブル電子デバイス。
【請求項２２】
電子デバイスであって、
フレキシブルディスプレイと、
フレキシブル筐体と、
前記フレキシブル筐体のための構成可能支持構造と、を備え、
前記構成可能支持構造が、前記フレキシブル筐体のための剛性支持構造を前記構成可能支持構造が形成することを可能にする第１の構成、及び前記フレキシブル筐体を変形させることを可能にする第２の構成を有する、電子デバイス。
【請求項２３】
前記構成可能支持構造が、
剛性の脊柱部と、
前記剛性の脊柱部上のロック式ヒンジと、
少なくとも１つの分節アームと、を含み、
前記第１の構成では、前記ロック式ヒンジがロックされ、前記第２の構成では、前記ロック式ヒンジがロック解除され、前記第１の構成では、前記少なくとも１つの分節アームが、前記ロック式ヒンジによって剛性状態で係合される、請求項２２に記載の電子デバイス。
【請求項２４】
前記構成可能支持構造が、
前記フレキシブル筐体内の複数の空洞部と、
前記複数の空洞部内の流体と、を含み、
前記第１の構成では、前記流体が前記複数の空洞部内で加圧され、前記第２の構成では、前記流体が前記空洞部内で加圧されない、請求項２２に記載の電子デバイス。
【請求項２５】
前記構成可能支持構造の構成を、前記第１の構成から前記第２の構成に変化させるスイッチを更に備える、請求項２２に記載の電子デバイス。
【発明の詳細な説明】
【技術分野】
【０００１】
本出願は、その全体が参照により本明細書に組み込まれる、２０１１年９月３０日出願の米国特許出願第１３／２５０，２２７号に対する優先権を主張する。
【背景技術】
【０００２】
本出願は、全体として、電子デバイスに関し、より詳細には、フレキシブル電子デバイスに関する。
【０００３】
ポータブルコンピュータ及び携帯電話などの電子デバイスは、多くの場合、剛性の構成要素を備える。剛性の構成要素は、多くの場合、剛性の筐体構造、液晶ディスプレイ（ＬＣＤ）などの剛性のディスプレイ、プラスチック若しくはガラスから形成される剛性のディスプレイカバー層、リジッドプリント回路基板、バッテリ、他の電気構成要素などの剛性の内部構成要素、又は他の剛性の構造的構成要素を含む。電子デバイスは、一般に、剛性の外部構造を有するように設計される。
【０００４】
ディスプレイを屈曲させることが可能な、フレキシブルディスプレイ技術が利用可能である。例えば、フレキシブルディスプレイは、可撓性の有機発光ダイオード（ＯＬＥＤ）ディスプレイ技術を使用して形成することができる。フレキシブルディスプレイを有する電子デバイスは、一般に、剛性の筐体構造、又は剛性の電子デバイスを形成する他の剛性構造を備える。
【発明の概要】
【発明が解決しようとする課題】
【０００５】
剛性の電子デバイスは、硬質表面上へのデバイスの落下などの衝撃事故での損傷に対して、脆弱である場合がある。
【０００６】
それゆえ、改善された電子デバイスを提供可能であることが望ましい。
【課題を解決するための手段】
【０００７】
屈曲させることが可能な部分を有する電子デバイスを、提供することができる。
【０００８】
フレキシブル電子デバイスは、フレキシブル筐体部材及び可撓性の内部構成要素を含み得る。フレキシブル筐体部材は、可撓性のデバイス筐体を含み得る。このフレキシブル筐体内に、剛性の内部構成要素及び可撓性の内部構成要素を取り付けることができる。可撓性の内部構成要素は、有機発光ダイオード（ＯＬＥＤ）ディスプレイなどのフレキシブルディスプレイを含み得る。フレキシブルディスプレイは、可撓性のディスプレイカバー層に取り付けることができる。可撓性のディスプレイカバー層は、可撓性のデバイス筐体に取り付けることができる。可撓性の内部構成要素は、１つ以上の可撓性部分を有するプリント回路、及びフレキシブルの基板上に形成される集積回路などのフレキシブルの回路基板を含み得る。可撓性の内部構成要素は、剛性部分及び可撓性部分を有するバッテリ、フレキシブルジョイント内に接合された複数の剛性部分から形成されるバッテリ、並びに可撓性のバッテリ層から形成されるバッテリなどのフレキシブルバッテリを含み得る。
【０００９】
フレキシブル筐体部材は、剛性部分及び可撓性部分を有する筐体部材、又は実質的に全てがフレキシブルである筐体部材を含み得る。フレキシブル筐体部材は、そのフレキシブル筐体部材が屈曲することを可能にする、ヒンジ又は弾性部分を含み得る。フレキシブル筐体部材は、１つの次元でフレキシブル度を提供する部分、及び別の次元で剛性を提供する部分を有し得る。フレキシブル筐体部材は、フレキシブル電子デバイスに２つ以上の安定構成を提供するための、双安定屈曲領域などの１つ以上の多安定屈曲領域を有し得る。
【００１０】
フレキシブル筐体部材は、可撓性構成及び剛性構成を有する、構成可能な内部支持構造を含み得る。フレキシブル筐体部材は、デバイスを交互に硬直及び屈曲させるための流体充填ポケット又は空気充填ポケットを含み得る。
【００１１】
フレキシブル電子デバイスは、そのフレキシブル電子デバイスの変形を感知するための、屈曲感知構成要素を含み得る。屈曲感知構成要素によって感知される、フレキシブル電子デバイスの変形により、電子デバイスへのユーザ入力を提供することができる。例えば、フレキシブル電子デバイスを捻転させることにより、デバイスの動作モードを変更することができ、電子ゲームシステムへのコマンドとしてデバイスに解釈させることができ、デバイスをオン又はオフにすることなどができる。
【００１２】
フレキシブル電子デバイスは、落下などの衝撃事故の間の損傷に、より強い耐性を示し得るが、これは、そのフレキシブルデバイスが、屈曲又は変形すると同時に衝撃を吸収することができるためである。このタイプの変形は、衝撃の持続時間を増大させることにより、フレキシブルデバイスの他の構成要素が受ける刺激を低減することができる。
【００１３】
本発明の更なる特徴、その性質、及び様々な有利点は、添付図面並びに以下の発明を実施するための形態から、より明らかとなるであろう。
【図面の簡単な説明】
【００１４】
【図１】本発明の一実施形態に係る、例示的なフレキシブル電子デバイスの斜視図である。
【図２】本発明の一実施形態に係る、フレキシブルディスプレイを形成するために使用することができる、例示的なディスプレイ層のセットの図である。
【図３】本発明の一実施形態に係る、例示的なフレキシブル電子デバイスの断面側面図である。
【図４】本発明の一実施形態に係る、電気構成要素を備えるフレキシブルプリント回路基板から形成された、例示的なフレキシブルメインロジックボードの断面側面図である。
【図５】本発明の一実施形態に係る、フレキシブルプリント回路基板及び電子構成要素を有する、例示的なリジッドフレックスメインロジックボードの断面側面図である。
【図６Ａ】本発明の一実施形態に係る、可撓性度を提供するための切り欠き部分を有する、例示的なメインロジックボードの平面図である。
【図６Ｂ】本発明の一実施形態に係る、可撓性度を提供するための切り欠き部分を有する、例示的な細長形メインロジックボードの平面図である。
【図７】本発明の一実施形態に係る、可撓性度を提供するための切り欠き部分を有する、図６Ａに示すタイプの例示的なメインロジックボードの一部分の断面側面図である。
【図８】本発明の一実施形態に係る、可撓性部分及び剛性部分を有する、例示的なフレキシブルバッテリの断面側面図である。
【図９】本発明の一実施形態に係る、可撓性部分及び剛性部分を有する、図８に示すタイプの例示的なフレキシブルバッテリの平面図である。
【図１０】本発明の一実施形態に係る、可撓性部分及び剛性部分を有する、例示的なフレキシブルバッテリの斜視図である。
【図１１】本発明の一実施形態に係る、例示的なフレキシブルバッテリの一部分の断面側面図である。
【図１２】本発明の一実施形態に係る、潤滑セパレータ層を有する、例示的なフレキシブルバッテリの一部分の断面側面図である。
【図１３】本発明の一実施形態に係る、噛み合い層を有する、例示的なフレキシブルバッテリの断面側面図である。
【図１４】本発明の一実施形態に係る、可撓性部分及び剛性部分を有する、例示的なフレキシブル筐体の断面端面図である。
【図１５】本発明の一実施形態に係る、異なる次元での異なる可撓性度の部分を有する、例示的なフレキシブル筐体の斜視図である。
【図１６】本発明の一実施形態に係る、フレキシブル筐体が、第２の次元よりも第１の次元で、どのように可撓性を小さくすることができるかを示す、図１５に示すタイプの例示的なフレキシブル筐体の斜視図である。
【図１７】本発明の一実施形態に係る、複数の安定位置を有する、例示的な双安定フレキシブル筐体の断面側面図である。
【図１８】本発明の一実施形態に係る、３つ以上の多安定位置を提供する複数の多安定部分を有する、例示的なフレキシブル筐体の背面斜視図である。
【図１９】本発明の一実施形態に係る、例示的なフレキシブル筐体の、双安定部分の近傍の一部分の背面斜視図である。
【図２０】本発明の一実施形態に係る、フレキシブル筐体の２つの多安定位置を示す、例示的な図である。
【図２１】本発明の一実施形態に係る、複数の多安定部分を備えたフレキシブル筐体を有するフレキシブル電子デバイス内で使用することができる、リジッドフレックスプリント回路の斜視図である。
【図２２】本発明の一実施形態に係る、三つ折りにされた閉鎖位置での、例示的なフレキシブル電子デバイスの斜視側面図である。
【図２３】本発明の一実施形態に係る、部分的に折り畳まれた位置での、例示的なフレキシブル電子デバイスの斜視側面図である。
【図２４】本発明の一実施形態に係る、折り畳まれた閉鎖位置での、例示的なフレキシブル電子デバイスの斜視側面図である。
【図２５】本発明の一実施形態に係る、複数の安定位置を有する可撓性伸長可能筐体を有する、例示的な可撓性電子デバイスの断面側面図である。
【図２６】本発明の一実施形態に係る、フレキシブル電子デバイスに可撓性の支持及び剛性の支持を提供するための、ロック式脊柱システムを含む、例示的な構成可能支持部材の斜視図である。
【図２７】本発明の一実施形態に係る、気泡体システムを含む構成可能支持部材を有する、例示的なフレキシブル筐体の断面側面図である。
【発明を実施するための形態】
【００１５】
フレキシブル電子デバイスは、そのデバイスが可撓性であることを可能にする、可撓性の内部構成要素及び外部構成要素を備えることができる。可撓性の内部構成要素は、フレキシブルディスプレイ、フレキシブルバッテリ、フレキシブル回路基板、又は他の可撓性の電気構成要素又は支持構成要素を含み得る。
【００１６】
可撓性の外部構成要素は、可撓性のディスプレイカバー層、フレキシブル筐体、又は他の可撓性の外部構成要素を含み得る。可撓性の内部構成要素並びに外部構成要素は、比較的可撓性度が大きい領域、及び比較的可撓性度が小さい領域を有し得る。フレキシブルデバイスは、比較的可撓性度が大きい部分、及び比較的可撓性度が小さい部分を有し得る。フレキシブルデバイスは、１つの次元が、別の次元よりも相対的に可撓性が大きいものとすることができる。
【００１７】
フレキシブルディスプレイは、フレキシブルディスプレイ層（例えば、可撓性の有機発光ダイオードアレイ）、可撓性タッチ感知層（例えば、容量性タッチセンサのための、透明なコンデンサ用電極のアレイを備えるポリマーのシート）、可撓性基板層などの可撓性層から形成することができる。これらの可撓性層は、必要に応じて、可撓性カバー層（例えば、可撓性プラスチック又は可撓性の薄いガラス層）によって覆うことができ、又は可撓性支持構造（例えば、可撓性層の下側の可撓性支持構造）によって支持することができる。
【００１８】
カバー層には、ディスプレイの可撓性層へのアクセスを提供する、開口部を備えることができる。例えば、カバー層は、そのカバーガラス層に対してボタン部材が移動することを可能にする、開口部を有し得る。ボタン部材が、開口部内部で移動すると、フレキシブルディスプレイの下層部分を（例えば、関連するスイッチの作動を可能にするために）変形させることができる。
【００１９】
電子デバイスはまた、ボタン、マイクロホン、スピーカ、圧電アクチュエータ、又は（ユーザからの電気入力の受け取り又はユーザへの触覚フィードバックのための）振動器、圧力センサ、などの他のアクチュエータ、及び他の構成要素などのユーザインターフェース構成要素（入出力構成要素）も備えることができる。これらの構成要素は、フレキシブルディスプレイの諸部分の下に取り付けることができる。
【００２０】
ユーザインターフェース構成要素は、フレキシブルディスプレイの下に取り付けることができ、又はフレキシブルディスプレイ内に組み込むこともできる。フレキシブルディスプレイの変形可能な性質は、ユーザが、ディスプレイをユーザインターフェース構成要素と接触するように移動させることによって、又は他の方法でディスプレイが局所的に屈曲することを可能にすることによって、ユーザインターフェース構成要素（入出力構成要素）と相互作用することを（例えば、フレキシブルディスプレイを音声が通過することを可能にするために、又は内部圧力センサによって外部環境の気圧測定が実施されることを可能にするために）、可能にすることができる。必要に応じて、フレキシブルディスプレイの一部分は、電気構成要素の膜部分を形成することができる。フレキシブルディスプレイの一部分から形成される膜を備えることができる構成要素としては、マイクロホン、レーザーマイクロホン、圧力センサ、スピーカなどが挙げられる。
【００２１】
ユーザインターフェース構成要素は、電子デバイスの全体又は一部の変形を検出するように構成することができる。ユーザインターフェース構成要素によって検出される変形は、そのデバイスに関連する処理ソフトウェアによって、そのデバイスへのユーザ入力として解釈させることができる。
【００２２】
一実施例としては、フレキシブルデバイスは、格納のために（例えば、ポケット内に）そのデバイスを折り畳むことができるように、折り畳み可能とすることができる。ユーザインターフェース構成要素は、デバイスが折り畳まれていることを感知して、そのデバイスを待機モード又はオフモードに入らせるように、構成することができる。ユーザインターフェース構成要素は、デバイスの非アクティブな変形（例えば、デバイスの折り畳み位置又は開放位置）を感知するように構成することができ、又はデバイスのアクティブな変形（例えば、デバイスのアクティブな捻転、圧搾、屈曲、又は他の方式のアクティブな変形）を検出するように構成することもできる。
【００２３】
別の実施例としては、ユーザインターフェース構成要素は、フレキシブル電子デバイスの捻転を検出するように構成することができる。ユーザインターフェース構成要素は、デバイスをオン又はオフにすること、アクティブモード又は待機モードに入ること、携帯電話の呼出しに答えること、ソフトウェアアプリケーションを開始すること、メディアのオーディオ再生又はビデオ再生に関連する音量を変更すること、メディアのオーディオ再生を開始又は停止することなどの、検出された捻転に対するデバイスからの応答を開始させるように構成することができる。
【００２４】
デバイスが屈曲することを可能にする、可撓性の内部構成要素及び外部構成要素を備えることができるタイプの、例示的なフレキシブル電子デバイスを図１に示す。電子デバイス１０は、ポータブル電子デバイス又は他の好適な電子デバイスとすることができる。例えば、電子デバイス１０は、ラップトップコンピュータ、タブレットコンピュータ、それらより幾分小型の、腕時計型デバイス、ペンダント型デバイス、又は他のウェアラブルデバイス若しくはミニチュアデバイスなどのデバイス、携帯電話、メディアプレーヤなどとすることができる。
【００２５】
デバイス１０は、筐体１２などのフレキシブル筐体を含み得る。場合によりケースと称することもできる、フレキシブル筐体１２は、プラスチック、薄いガラス、繊維複合材料、薄い金属（例えば、アルミニウムなど）、織物、シリコーン、他の好適な材料、又はこれらの材料の組み合わせなどの変形可能材料で形成することができる。一部の状況では、筐体１２の一部は、誘電体又は他の低導電性材料から形成することができる。他の状況では、筐体１２、又は筐体１２を構成する構造の少なくとも一部は、金属要素から形成することができる。
【００２６】
筐体１２は、デバイス１０内の利用可能な容積を充填するように適合する、適合性金型（例えば、バッテリ、プリント回路、若しくは他の構成要素などの内部構成要素に結合する、軟質の変形可能なプラスチック、シリコーン、又は他の変形可能材料）から形成することができ、又は筐体１２は、締結具、接着剤、溶接、又は他の取り付け部材若しくは取り付け機構を使用して、内部構成要素又はディスプレイに取り付けることができる。筐体１２は、デバイス１０の他の可撓性又は剛性の構成要素を取り付けるための、係合機構を含み得る。フレキシブル筐体１２は、変形可能材料から形成される単一の可撓性構造から形成される場合もあり、又は変形可能材料から形成される複数の筐体構造を含む場合もある。
【００２７】
デバイス１０は、フレキシブルディスプレイ１４などのフレキシブルディスプレイを有し得る。フレキシブルディスプレイ１４は、図１に示すように、フレキシブル筐体１２と共に屈曲するように構成することができる。フレキシブルディスプレイ１４は、複数の材料の層から形成することができる。これらの層は、容量性タッチセンサアレイを形成するように、酸化インジウムスズ（ＩＴＯ）電極又は他の好適な透明電極のパターンが、その上に付着している層などのタッチセンサ層を含み得る。これらの層はまた、表示ピクセルのアレイを収容する層も含み得る。これらのタッチセンサ層及びディスプレイ層は、（一実施例として）１０マイクロメートル〜０．５ｍｍの厚さ又は他の好適な厚さを有する、可撓性のポリマーのシート又は他の基板を使用して形成することができる。
【００２８】
表示ピクセルアレイは、例えば、ＯＬＥＤ表示ピクセルの行及び列を含む、有機発光ダイオード（ＯＬＥＤ）アレイとすることができる。他のタイプの可撓性表示ピクセルアレイもまた、形成することができる（例えば、電子インクディスプレイなど）。フレキシブルディスプレイ１４を形成するためのＯＬＥＤ技術の使用が、一実施例として、本明細書で説明される場合がある。しかしながら、このことは単なる例示に過ぎない。フレキシブルディスプレイ１４は、任意の好適なフレキシブルディスプレイ技術を使用して形成することができる。ＯＬＥＤ技術に基づくフレキシブルディスプレイの使用は、単なる例示に過ぎない。
【００２９】
これらの機能的ディスプレイ層（すなわち、ＯＬＥＤアレイ及び任意選択のタッチセンサアレイ）に加えて、ディスプレイ１４は、１つ以上の構造層を含み得る。例えば、ディスプレイ１４は、可撓性カバー層で覆うことができ、かつ／又は支持構造（例えば、可撓性の支持体）上に取り付けることもできる。フレキシブルディスプレイ層を互いに取り付ける際に、接着剤の層を使用することができ、また可撓性の構造層にフレキシブルディスプレイ層を取り付ける際に使用することができる。
【００３０】
このディスプレイの下の任意の好適な場所に（例えば、ディスプレイの周辺部分に沿って、ディスプレイの中央部分に、など）、入出力構成要素を取り付けることができる。必要に応じて、カバー層には、１つ以上の開口部を備えることができ、それらの開口部の下に、電子構成要素を取り付けることができる。例えば、剛性のカバー層は、ボタン１７用の開口部、及びスピーカ１９などのスピーカ用の（例えば、ユーザのためのイヤースピーカ用の）スピーカポート開口部を有し得る。デバイス１０はまた、他の開口部（例えば、音量ボタン、着信音ボタン、ボタン１６などのスリープ／電源ボタン、及び他のボタンを収容するための、ディスプレイ１４並びに／又は筐体１２内の開口部、スイッチ１５などのスイッチ用の開口部、オーディオジャック、データポートコネクタ、リムーバブルメディアスロット用の開口部など）も有し得る。
【００３１】
ボタン１７、１６、及びスイッチ１５は、ドームスイッチ又は他のスイッチ回路機構に基づくものとすることができる。ボタン１７、１６、及びスイッチ１５は、押しボタン（例えば、モーメンタリボタン）、スライダースイッチ、ロッカースイッチなどを形成する、ボタン部材を含み得る。スイッチ１５は、デバイス１０の動作モードを変更する（例えば、携帯電話に関する着信音をオン、オフするか、又は振動のみのモードに切り替える）ために使用することができ、又はデバイス１０の物理的特性を変化させるために（例えば、内部補剛構造を使用して、筐体１２を可撓性状態から剛性状態に切り替えるために）使用することもできる。スイッチ１５は、筐体１２に関連する内部補剛構造（例えば、内部ロック式骨格、内部気泡体システム、内部構成可能支持構造など）に関与する、電子スイッチ又は機械的スイッチとすることができる。
【００３２】
デバイス１０は、デバイス１０の完全に内部に存在し得るが、フレキシブルディスプレイ１４、又はフレキシブルデバイス１０の他の部分との物理的相互作用を通じて、ユーザからの入力又は周囲環境からの入力を受け取る、インターフェース構成要素２４並びにインターフェース構成要素２６などの構成要素を含み得る。インターフェース構成要素２４及びインターフェース構成要素２６は、フレキシブルディスプレイ１４又はフレキシブル筐体１２の真下に位置決めすることができ、それゆえフレキシブルディスプレイ１４又はフレキシブル筐体１２は、構成要素２４又は構成要素２６と接触するために変形させなければならないが、あるいは必要に応じて、フレキシブルディスプレイ１４と常に接触したままで維持されるように、位置決めすることもできる。構成要素２４及び構成要素２６は、近接センサ、圧力センサ、タッチセンサ（例えば、タッチ感知ディスプレイ１４の一部分）、光センサ、磁気センサ、容量センサ、又はデバイス１０の１つ以上の部分の変形を感知するように構成される他のタイプのセンサとすることができる。
【００３３】
インターフェース構成要素２４及びインターフェース構成要素２６は、フレキシブルデバイス１０の変形により、内部構成要素２４又は内部構成要素２６を起動させることができるように、位置決めすることができる。例えば、インターフェース構成要素２６は、フレキシブル筐体１２及びフレキシブルディスプレイ１４を変形させる（破線１８によって示されるような）フレキシブルデバイス１０の圧搾が、（例えば、筐体１２の一部分を、スイッチと接触するように移動させることにより、スイッチを操作することによって）インターフェース構成要素２６を起動させるように位置決めされる、スイッチを含み得る。インターフェース構成要素２４は、インターフェース構成要素２６の相対位置を感知するように構成することができる。構成要素２４及び構成要素２６などの内部構成要素の相対位置は、デバイス１０の位置又はアクティブな屈曲についての情報を提供することができる。デバイス１０の位置について、又はアクティブな屈曲についての情報を使用して、内部構成要素２４又は内部構成要素２６を起動することができ、又はデバイス１０に関連するプロセッサ上で実行されるソフトウェアアプリケーションを起動することができる。
【００３４】
例えば、内部構成要素２４は、内部構成要素２６からの内部構成要素２４の距離を感知するように構成することができる。内部構成要素２４は、この内部構成要素２４と内部構成要素２６との距離が、既定の閾値を下回るか又は超過する場合、デバイス１０の動作モードを変更するように（例えば、その距離が既定の閾値未満となる場合、ディスプレイ１４をスリープさせるように、その距離が既定の閾値を超過する場合、ディスプレイ１４をオンにするように、その距離が既定の閾値未満となる場合、デバイス１０をオフにするなどのように）構成することができる。
【００３５】
例示的なディスプレイの分解斜視図を、図２に示す。図２に示すように、フレキシブルディスプレイ１４は、フレキシブルディスプレイ層１４Ａ、タッチ感知層１４Ｂ、及びカバー層１４Ｃを含めた、複数の層を積み重ねることによって形成することができる。ディスプレイ１４はまた、接着剤層、光学フィルム、又は他の好適な層などの他の材料の層を含み得る。フレキシブルディスプレイ層１４は、発光ダイオード（ＬＥＤ）、有機ＬＥＤ（ＯＬＥＤ）、プラズマセル、電子インク素子、液晶ディスプレイ（ＬＣＤ）構成要素、又はフレキシブルディスプレイに適合する他の好適な画像ピクセル構造から形成される、画像ピクセルを含み得る。
【００３６】
タッチ感知層１４Ｂは、水平透明電極３２０及び垂直透明電極３４０などの容量性タッチ電極を組み込むことができる。タッチ感知層１４Ｂは、一般に、容量センサ、抵抗センサ、光センサ、音響センサ、誘導センサ、又は力センサに基づいて、タッチ感知層１４Ｂ上の、１つ以上のタッチ若しくは近接タッチの場所を検出するように構成することができる。
【００３７】
ソフトウェア及び／又はハードウェアを使用して、検出されたタッチの測定値を処理することにより、１つ以上のジェスチャを特定し、かつ追跡することができる。ジェスチャは、タッチ感知層１４Ｂ上の、定常若しくは非定常の、単一若しくは複数のタッチ又は近接タッチに対応し得る。ジェスチャは、タッチ感知層１４Ｂ上で、タッピング、圧迫、揺動、スクラビング、捻転、配向の変化、圧力を変化させた圧迫などの特定の方式で、本質的に同時に、継続的に、又は連続的に、１つ以上の指又は他の物体を移動させることによって、実行することができる。ジェスチャは、任意の他の指との間で、又は任意の他の指と共に、ピンチ、スライド、スワイプ、回転、屈曲、ドラッグ、又はタップする動きによって特徴付けることができるが、これらに限定されない。１つ以上の手を使用して、１人以上のユーザによって、又はこれらの任意の組み合わせによって、単一のジェスチャを実行することができる。
【００３８】
カバー層１４Ｃは、プラスチック、薄いガラス（ディスプレイカバーガラスと称される場合がある）、又は他の可撓性の透明材料から形成することができる。必要に応じて、カバー層１４Ｃの周辺の非アクティブ部分の内側表面には、黒色インクなどの不透明マスキング層を備えることができる。
【００３９】
タッチ感知可撓性ディスプレイ部１４ＡＢは、表示ピクセルアレイ層１４Ａ及び任意選択のタッチセンサ層１４Ｂから形成することができる。
【００４０】
図３は、可撓性の内部構成要素及び外部構成要素を備える、デバイス１０の例示的な実施形態の断面側面図である。図３に示すように、デバイス１０の可撓性の内部構成要素及び外部構成要素は、フレキシブルディスプレイ１４などのフレキシブルディスプレイ、フレキシブル筐体１２などのフレキシブル筐体、フレキシブルプリント回路３０などのフレキシブルロジックボード、及びフレキシブルバッテリ３４などのフレキシブルバッテリを含み得る。図３に示すように、フレキシブルバッテリ３４は、必要に応じて、電荷蓄積構成要素６０などの１つ以上のバッテリセル又はバッテリパックを含み得る。
【００４１】
フレキシブルプリント回路３０は、フレキシブルプリント回路基板、フレキシブルプリント回路基板の層から形成された１つ以上の可撓性部分を備えるリジッドプリント回路基板、又は他の剛性部分に対して屈曲する剛性部分を備えるリジッドプリント回路基板とすることができる。集積回路、電力管理ユニット、揮発性メモリ及び不揮発性メモリなどの記憶装置、抵抗器、コンデンサ、及びインダクタなどの個別構成要素、並びに他の電子構成要素３２を、フレキシブルプリント回路３０に取り付けることができる。
【００４２】
デバイス１０は、バッテリ３４などの１つ以上のバッテリを備えることができる。バッテリ３４は、フレキシブル筐体１２に取り付けることができ、フレキシブルプリント回路３０に取り付けることができ、又は他の方式でフレキシブル筐体１２内に取り付けることができる。
【００４３】
可撓性の内部構成要素及び外部構成要素を含む、デバイス１０などのデバイスは、矢印３６によって示されるように屈曲又は変形させることが可能な、フレキシブルデバイスとすることができる。筐体１２、ディスプレイ１４、ロジックボード３０、及びバッテリ３４は、フレキシブルデバイス１０が１つ以上の好ましい位置を有するように、かつフレキシブルデバイス１０が、矢印３６の方向の屈曲力などの外部からの屈曲力の非存在下で、それらの好ましい位置のうちの１つに戻るように、構成することができる。このことは単なる例示に過ぎない。必要に応じて、フレキシブルデバイス１０は、好ましい位置を有さない場合があり、任意の湾曲位置、屈曲位置、又は実質的に平坦な位置のままで維持されるように、構成することができる。
【００４４】
図３に示すように、フレキシブルディスプレイ１４は、筐体１２の側壁部分１２Ｓなどのフレキシブル筐体側壁部に隣接して取り付けられるように屈曲した、屈曲側壁部分３８を含み得る。筐体１２は、デバイス１０に可撓性の裏面を提供する、可撓性の裏側筐体壁部１２Ｒなどの裏側部分を含み得る。フレキシブル筐体１２、フレキシブルディスプレイ１４、フレキシブルバッテリ３４、及びフレキシブルプリント回路３０は、フレキシブルデバイス１０が、例えば、図３に示すように、ｚ次元へと、ｘ−ｙ平面外に屈曲することを可能にし得る。フレキシブル筐体１２、フレキシブルディスプレイ１４、フレキシブルバッテリ３４、及びフレキシブルプリント回路３０は、ｙ軸（図３に示す）に平行な軸を中心として、ｘ軸に平行な軸を中心として、及び／又はｚ軸に平行な軸を中心として屈曲することが可能であり得る。
【００４５】
図４は、フレキシブルプリント回路３０などの例示的なフレキシブルプリント回路基板の一部分の断面側面図を示す。図４に示すように、プリント回路３０は、フレキシブルプリント回路（本明細書ではまた、フレックス回路と称される場合もある）から形成することができる。プリント回路３０がフレックス回路から形成される構成では、プリント回路３０の可撓性部分に、構成要素３２を取り付けることができる。
【００４６】
フレキシブルプリント回路３０は、パターン化された導電性トレース（例えば、ポリイミドシートなどの可撓性の基板のシート上の導電性トレース）を含み得る。
【００４７】
図５は、例示的なプリント回路３０の一部分の断面側面図を示す。図５に示すように、プリント回路３０は、剛性部分４０などの剛性部分、及び可撓性部分４２などの可撓性部分を有する、リジッドフレックス回路から形成することができる。プリント回路３０の可撓性部分４２及び剛性部分４０は、複数の層を含み得る。プリント回路３０などの多層プリント回路は、場合によりプリント回路基板（ＰＣＢ）スタック又はＰＣＢスタックアップと称することもできる。
【００４８】
プリント回路３０の層は、繊維ガラス充填エポキシ（例えば、ＰＣＢスタック内の剛性層として）及びポリイミド（例えば、ＰＣＢスタック内の可撓性層として）、ＦＲ−２（フェノールコットン紙）、ＦＲ−３（コットン紙及びエポキシ）、ＦＲ−４（ガラス織布及びエポキシ）、ＦＲ−５（ガラス織布及びエポキシ）、ＦＲ−６（ガラスマット及びポリエステル）、Ｇ−１０（ガラス織布及びエポキシ）、ＣＥＭ−１（コットン紙及びエポキシ）、ＣＥＭ−２（コットン紙及びエポキシ）、ＣＥＭ−３（ガラス織布及びエポキシ）、ＣＥＭ−４（ガラス織布及びエポキシ）、ＣＥＭ−５（ガラス織布及びポリエステル）、フェノール樹脂を含浸させた紙、ポリスチレン、ポリイミド、ポリテトラフルオロエチレン（ＰＴＦＥ）、プラスチック、他のポリマー、セラミックス、又は他の好適な誘電体などの誘電体から形成することができる。
【００４９】
プリント回路３０の層は、プリプレグの層（すなわち、予め含浸させた繊維及び樹脂の層）などの付着層を含み得る。銅又は他の導電材料の層を、他の層の表面上に形成することができる。
【００５０】
可撓性部分４２は、剛性部分４０間で信号を伝達するパターン化された導電性トレース（例えば、ポリイミドシートなどの可撓性の基板のシート上の導電性トレース）、構成要素３２などの構成要素、又はデバイス１０の他の構成要素を含み得る。
【００５１】
図６Ａは、剛性部分が他の剛性部分に対して屈曲することを可能にする、開口部を有するリジッドプリント回路基板から形成された、例示的なプリント回路３０の平面図を示す。図６Ａに示すように、プリント回路３０には、開口部４４などの１つ以上のパターン化された開口部を備えることができる。開口部４４は、切断、エッチング、機械加工、又は他の方式で、プリント回路３０内に形成することができる。図６Ａの実施例では、プリント回路３０は、プリント回路３０の中央剛性部分５０などの他の剛性部分に対して屈曲するように構成される、剛性部分４８などの部分を有する、リジッド回路基板４０から形成される。
【００５２】
図６Ａに示すように、剛性の中央部分５０は、中央処理装置４６などの集積回路を含み得る。中央処理装置（ＣＰＵ）４６は、剛性の中央部分５０に取り付けられることにより、プリント回路３０の屈曲による損傷からＣＰＵ４６を保護する（例えば、ＣＰＵ４６がプリント回路３０から分離することを防止する）ことができる。他の構成要素３２は、プリント回路３０の剛性部分５０及び／又は剛性部分４８に取り付けることができる。剛性の中央部分５０は、ある程度の内部可撓性度を有し得る。剛性部分４８は、剛性の中央部分５０が有する内部可撓性度よりも相対的に大きい、剛性の中央部分５０に対する可撓性度を有し得る。
【００５３】
開口部４４及び中央部分に取り付けられたＣＰＵ４４を有する、実質的に正方形のリジッドプリント回路基板から形成された、図６Ａの柔軟なプリント回路３０は、単なる例示に過ぎない。必要に応じて、ＣＰＵは、プリント回路３０上の他の位置に取り付けることができ、プリント回路３０は、他の幾何学的形状を有し得る。
【００５４】
一実施例として、図６Ｂは、開口部３４などのパターン化された開口部によって分離された剛性部分４８を有する、リジッドプリント回路基板から形成された細長形のプリント回路３０を示す。図６Ｂに示すように、ＣＰＵ４６は、剛性部分４８のうちの１つの上に形成することができる。構成要素３２などの電子構成要素は、ＣＰＵ４６と共通の剛性部分４８に取り付けるか、又は他の剛性部分４８に取り付けることができる。図６Ａ及び図６Ｂの開口部４４は、剛性部分４８が、中央部分５０（図６Ａ）に対して、又は他の剛性部分４８（図６Ａ及び図６Ｂ）に対して屈曲する一方で、剛性部分４８が、図７に示すように実質的に平坦なままで維持されることを可能にし得る。
【００５５】
図７は、図６Ａの線Ａに沿った、図６Ａに示すタイプのフレキシブルプリント回路の断面側面図である。図６Ａに示すように、プリント回路３０に対して加えられる（矢印５９によって示されるような）力により、プリント回路３０の剛性部分４８を、中央部分５０に対して屈曲させることができる。これらの屈曲力の存在下では、剛性の中央部分５０は、剛性部分４８が剛性の中央部分５０に対して屈曲するよりも、小さく屈曲することができる。剛性の中央部分５０は、部分５４（例えば、中央部分５０のＣＰＵ４６などの実装回路を含む部分）が実質的に平坦なままで維持されることを確実にする、剛性を有し得る。
【００５６】
屈曲力の非存在下では、剛性部分４８は、ｘ−ｙ平面内で（破線５７によって示されるように）平面プリント回路の一部分を形成することができる。矢印５９によって示される方向の屈曲力などの屈曲力の下では、フレキシブルプリント回路３０は、ｘ−ｙ平面外に屈曲することができる。剛性部分４８は、ｙ軸に平行な軸を中心として、剛性の中央部分５０がその軸を中心として屈曲するよりも、大きく屈曲することができる。部分５４が実質的に平坦なままで維持されることを確実にする、剛性の中央部分５０を提供することにより、ＣＰＵ４６が損傷するか又はプリント回路３０から分離することを、防止することができる。
【００５７】
図７に示すように、プリント回路３０内の開口部４４などの開口部は、剛性部分４８が、他の剛性部分４８及び剛性の中央部分５０に対して屈曲する一方で、各剛性部分４８が実質的に平坦なままで維持されることを可能にし得る。実質的に平坦なままで維持される一方で、プリント回路３０の他の部分に対して屈曲する、剛性部分４８を提供することにより、プリント回路３０が屈曲若しくは変形している間に、構成要素３２などの構成要素が損傷するか又はプリント回路３０から分離することを、防止することができる。
【００５８】
図８は、図３に示すタイプの例示的なフレキシブルバッテリの一部分の、断面側面図を示す。図８に示すように、フレキシブルバッテリ３４は、（矢印５２によって示されるような）屈曲力の下で、安全かつ反復可能な方式で屈曲するように、設計することができる。図８の実施例では、フレキシブルバッテリ３４は、バッテリセル６０などの１つ以上のバッテリセルの、分割されたパッケージを含み得る。バッテリセル６０は、それぞれ、デバイス１０のための電荷を蓄積するように構成することができる。バッテリセル６０は、それぞれ他のバッテリセル６０に接続することができ、又は、デバイス１０の構成要素３２（例えば、図３を参照）などの構成要素に電力を供給するための、電力管理ユニットなどのデバイス１０の構成要素に直接結合することもできる。
【００５９】
図８に示すように、バッテリセル６０は、可撓性部材６２を使用して取り付けることができる。可撓性部材６２は、プラスチック、シリコーン、又は他の弾性材料から形成することができる。バッテリセル６０は、それぞれ、導電性のアノード及びカソードなどの導電性構造を含み得る。バッテリセル６０内の導電性のアノード及びカソードは、隔離層によって隔離することができる。
【００６０】
可撓性部材６２は、バッテリ３４が、矢印５２によって示される方向の屈曲力の下で、湾曲位置６４などの湾曲位置へと屈曲することができるように、構成することができる。可撓性部材６２は、フレキシブルバッテリ３４が、破線６６よって示されるような、実質的に平坦な位置に戻ることができるように、構成することができる。図８の実施例では、バッテリセル６０は、円筒形バッテリセルとすることができる。
【００６１】
図９は、図８に示すタイプのフレキシブルバッテリの平面図である。図８に示すように、円筒形バッテリセル６０は、可撓性部材６２を使用して接合することができる。図８及び図９の実施例では、フレキシブルバッテリ３４は、円筒形部材６０に平行な軸を中心として、優先的に可撓性とすることができる。このことは単なる例示に過ぎない。必要に応じて、フレキシブルバッテリ３４は、図１０に示すように、複数の次元でフレキシブルバッテリ３４を屈曲させることが可能となるように、構成することができる。
【００６２】
図１０に示すように、バッテリセル６０は、可撓性シート７４などの可撓性材料のシート上に取り付けられた、１つ以上のコインセルを含み得る。可撓性シート７４は、プラスチック、シリコーン、又は他の可撓性材料から形成することができる。必要に応じて、可撓性シート７４は、ポリイミドシートなどの可撓性の基板のシートを使用して実装することができる。バッテリ３４が、可撓性シート上のコインセルから形成される構成では、コインセルは、相互接続子７０を使用して接続することができる。コインセル６０は、導電性コネクタ７２を使用して、電力管理ユニットなどの他のデバイス構成要素に結合することができる。
【００６３】
導電性コネクタ７２及び導電性相互接続子７０は、導線、ツイストペア線、他の導線から形成することができ、又は可撓性シート７４内の導電性トレースから形成することもできる。コインセル６０は、それぞれ、導電性のアノード及びカソードなどの導電性構造を含み得る。バッテリセル６０内の導電性のアノード及びカソードは、誘電性の隔離層によって隔離することができる。可撓性シート上に取り付けられたコインセルを有するフレキシブルバッテリ３４などのバッテリを、デバイス１０に提供することにより、バッテリ３４及びデバイス１０に、複数の次元の可撓性度をもたらすことができる。フレキシブルバッテリ３４が、可撓性シート上に取り付けられたコインセルから形成される図１０の実施例は、単なる例示に過ぎない。必要に応じて、フレキシブルバッテリは、図１１及び図１２に示すように、バッテリ３４が屈曲することを可能にする潤滑セパレータ層（スリップ層と呼ばれる場合もある）を使用することによって、形成することができる。
【００６４】
図１１に示すように、フレキシブルバッテリ３４は、層８０などの電極構造の層を含み得る。層８０は、アノード電極Ａ及びカソード電極Ｃ、並びにセパレータ／電解質層Ｓ／Ｅを含み得る。
【００６５】
カソード層Ｃは、セパレータ／電解質層Ｓ／Ｅなどのセパレータ層の上面に取り付けることができる。アノード層（例えば、陰極層）Ａは、セパレータ層Ｓ／Ｅなどのセパレータ層の、対向する下面に取り付けることができる。電極構造の層８０は、典型的には薄い（例えば、１ミリメートルの何分の１）。
【００６６】
バッテリ３４は、リチウムイオンバッテリ技術、リチウムポリマーバッテリ技術、又は他のバッテリ技術などのバッテリ技術を含み得る。リチウムイオンバッテリ技術を使用してバッテリ３４が実装される構成では、カソードと称される場合もある陽極Ｃは、リチウムを含み得るが、アノードと称される場合もある陰極Ａは、炭素を含み得る。
【００６７】
リチウムポリマーバッテリ技術を使用してバッテリ３４が実装される構成では、陽極Ｃ及び陰極Ａは、ポリマーのセパレータシートから形成されたセパレータ層Ｓ／Ｅの対向する両面にそれぞれ積層することができる。例えば、リチウムポリマーバッテリは、ＬｉＣｏＯ２若しくはＬｉＭｎＯ４から形成される陽極層Ｃ、ポリエチレンオキシドなどのポリマーから形成されるセパレータ層Ｓ／Ｅ、及びリチウム若しくはリチウムと炭素との化合物を含有する陰極層Ａを（実施例として）有し得る。他のタイプの電極及びセパレータを使用することもできる。これらは単に例示的な実施例に過ぎない。
【００６８】
図１１に示すように、フレキシブルバッテリ３４は、スリップ層８２などの潤滑セパレータ層を含み得る。スリップ層８２は、バッテリ層８０などの電極構造の間に挿入することができる。バッテリ３４に潤滑セパレータ層を提供することは、層８０が他の層８０に対して摺動又は滑動することにより、バッテリ３４が屈曲することを可能にする助けとなり得る。潤滑セパレータ層８２は、テトラフルオロエチレン、ポリテトラフルオロエチレン（例えば、Ｔｅｆｌｏｎ（登録商標））、又は他の好適な材料から形成することができる。図１１の実施例では、バッテリ３４内の１つおきのセパレータ層が、スリップ層８２などのスリップ層である。このことは単なる例示に過ぎない。必要に応じて、セパレータ層Ｓ／Ｅを潤滑性とすることができ、層８２間の１つおきのセパレータ層を潤滑性とすることができ、単一の潤滑層を提供することができ、又はバッテリ３４が層８２などの潤滑層を含む他の構成も可能である。
【００６９】
セパレータ／電解質層Ｓ／Ｅは、イオン（例えば、電子又は他の荷電粒子）が陽極層ＣとＡとの間を流れることを可能にする、電解質ゲル又は電解質液とすることができる。潤滑セパレータ層は、例えば、電子又は他の荷電粒子などのイオンの流れを阻止する、不透過性材料から形成することができる。セパレータ層Ｓ／Ｅ及び潤滑セパレータ層８２は、共通の材料から形成することができ、又は異なる材料から形成することもできる。スリップ層８２は、電極構造８０のセパレータ層Ｓ／Ｅよりも、潤滑性にすることができる。
【００７０】
電極構造８０は、パウチ８４などのバッテリパウチ内に封止することができる。パウチ８４は、例えば、アルミニウムなどの金属で裏打ちされているポリマーから形成することができる。
【００７１】
バッテリ３４が、十分な電荷蓄積能力を有する電極構造８０から形成されることを確実にするために、電極構造８０の面積は、（一実施例として）数平方センチメートルのサイズとすることができる。それゆえ、よりコンパクトな形状へと電極構造を折り畳むことが望ましい場合がある。例えば、図１２に示すタイプの形状へと電極構造を巻き付けることが望ましい場合がある。
【００７２】
ジェリーロール形状と称される場合があるこのタイプの電極構成は、バッテリのフットプリントを低減し、典型的なデバイスフォームファクタに適合するサイズ及び形状をバッテリに提供する。このタイプの電極構成は、層８０間に滑動能力をもたらすことによりバッテリ３４の可撓性度を増大させる、層８２などの潤滑層を含み得る。
【００７３】
図１１に関連して上述されたように、バッテリ３４の層８０は、カソード層Ｃ、アノード層Ａ、及びそれらの導電層を隔離するセパレータ層Ｓ／Ｅを含み得る。図１２に示すように、層８０は、スリップ層８２などの潤滑セパレータ層を使用して、他の層８０から隔離することができる。スリップ層８２などの潤滑セパレータ層をバッテリ３４に提供することは、バッテリ３４が、方向５２及び／又は方向７８などの方向の屈曲力の下で屈曲することを可能にし得る。
【００７４】
必要に応じて、バッテリ３４の巻き付け層８０の中心に、材料８６などの追加的な潤滑材料を提供することができる。追加的な潤滑材料８６は、バッテリ３４の内部巻き付け層８０を更に潤滑化することによって、バッテリ３４に更なる可撓性度をもたらすことができる。潤滑材料８６は、スリップ層８２を形成する材料と同じ材料から形成することができ、又はスリップ層８２を形成する材料とは異なる材料から形成することもできる。
【００７５】
フレキシブルバッテリ３４が、潤滑セパレータ８２などの潤滑セパレータ材料によって隔離された、巻き付けカソード／アノード／セパレータ層を含む構成では、バッテリ３４には、タブ７６などのタブを備えることができる。タブ７６は、筐体１２又はカバー層１４Ｃなどのデバイス構造にバッテリ３４を取り付けるための、係合部材を含み得る。タブ７６は、電力管理ユニット又はプリント回路３０（図３を参照）などの他のデバイス回路機構に、バッテリ３４を電気的に結合するための、導電性コネクタを含み得る。例えば、タブ７６は、層８０のカソード層Ｃに接続された陽端子、及び層８０のアノード層Ａに接続された陰端子を含み得る。バッテリ３４の巻き付け層８０は、外側フィルム８４などのパウチ内に封止することができる。外側フィルム８４は、バッテリ３４のための可撓性エンクロージャを提供するように構成することができる。
【００７６】
バッテリ３４の層８０が、ジェリーロールバッテリを形成するように巻き付けられる図１２の実施例は、単なる例示に過ぎない。必要に応じて、バッテリ３４の層８０は、図１３に示すように、層８０が噛み合い界面領域を形成するように、パウチ８４内に取り付けることができる。図１３の実施例では、一部の層８０の一部分が他の層８０の一部分と噛み合う、界面領域８８などの噛み合い界面領域を提供することができる。図１３に示すような部分的噛み合い層８０を、バッテリ３４に提供することは、矢印５２によって示されるような屈曲力による、界面領域８８内でのバッテリ３４の屈曲を可能にし得る。
【００７７】
図１４は、図３に示すタイプの例示的なフレキシブル筐体の、断面端面図を示す。図１４に示すように、筐体１２は、部分９０などの比較的剛性の部分、及び部分９２などの比較的可撓性の部分を含む、分割された筐体構造を含み得る。
【００７８】
剛性部分９０は、プラスチック、ガラス、セラミックス、繊維複合材料、金属（例えば、ステンレス鋼、アルミニウムなど）、織物、シリコーン、他の好適な材料、又はこれらの材料の組み合わせから形成することができる。可撓性部分９２は、剛性部分９２を取り付け、かつ剛性部分９２が、矢印５２によって示されるような屈曲力の下で、他の剛性部分９２に対して移動することを可能にする、ヒンジ又は他の回転部材を含み得る。このことは単なる例示に過ぎない。
【００７９】
必要に応じて、可撓性部分９２は、剛性部分９０の間に挿入される弾性部材を含み得るか、又は剛性部分９０及び可撓性部分９２を含む単一の筐体構造１２の統合部分を形成する、比較的柔軟な弾性材料から形成することもできる。例えば、可撓性部分９２は、弾性発泡体、シリコーン、ゴム、シリコーンゴム、熱可塑性ポリウレタンポリマーなどの熱可塑性エラストマー（ＴＰＥ）などの弾性材料から形成することができる。
【００８０】
図１４の実施例は、単なる例示に過ぎない。必要に応じて、フレキシブル筐体１２は、単一の弾性構造から形成することができ、又は図１５及び図１６に示すような、屈曲に対する様々な抵抗を提供するための、可変断面を有する筐体構造を含み得る。
【００８１】
図１５は、可撓性シート９４（例えば、可撓性プラスチック、繊維複合材料、金属、織物、シリコーン、他の好適な材料、又はこれらの材料の組み合わせの、薄いシート）などの可撓性シート、及び支持構造９６などの剛性支持構造を有する、筐体１２などの筐体構造の斜視図である。支持構造９６は、炭素繊維、プラスチック、ガラス、セラミックス、繊維複合材料、金属（例えば、ステンレス鋼、アルミニウムなど）、織物、シリコーン、他の好適な材料、又はこれらの材料の組み合わせなどの比較的厚い材料とすることができる。可撓性シート９４は、例えば、デバイス１０のための裏側壁部（例えば、図３の裏側壁部１２Ｒ）を形成することができる。可撓性シート９４は、図１５に示す（矢印９８によって示されるような）ｙ軸に平行な軸を中心とする、筐体１２の屈曲を可能にすることができる。
【００８２】
図１６に示すように、支持構造９６は、図１５及び図１６に示すｘ軸に垂直な、ｙ軸に沿った可撓性シート９４の寸法に沿って延在するように、形成することができる。それゆえ、支持構造９６は、図１５及び図１６に示す（矢印９９によって示されるような）ｘ軸に平行な軸を中心とする屈曲に対して、抵抗を提供することができる。可撓性シート９４及び支持構造９６を筐体１２に提供することにより、支持構造９６の最長寸法に平行な軸を中心とする、優先的な可撓性度をもたらすことができる。支持構造９６は、可撓性シート９４の可撓性度よりも小さい可撓性度を有し得る。
【００８３】
必要に応じて、筐体１２は、図１７に示すような１つ以上の安定構成を有するように構成することができる。図１７の実施例では、筐体１２は、２つの好ましい位置を有する、双安定筐体構造から形成される。図１７に示すように、筐体１２は、位置１００などの安定位置を有し得る。筐体１２は、位置１００にある場合、外部からの屈曲力の非存在下で、筐体１２が位置１００のままで維持されるように、構成することができる。
【００８４】
デバイス１０のユーザは、筐体１２に、方向１０２の力を加えることができる。筐体１２は、この方向１０２の力に応答して、筐体１２が第２の安定位置１０４に到達するまで変形するように、構成することができる。筐体１２は、位置１０４にある場合、外部からの屈曲力の非存在下で、筐体１２が位置１０４のままで維持されるように、構成することができる。デバイス１０のユーザは、デバイス１０に、方向１０６の力を加えることができる。筐体１２は、この方向１０６の力に応答して、筐体１２が安定位置１００に戻るまで変形するように、構成することができる。
【００８５】
２つ以上の安定位置を有する筐体１２などの筐体を、デバイス１０に提供することは、デバイス１０の人間工学的使用法を増大させると共に、デバイス１０を表面上に安置するための安定位置を提供することができる。２つ以上の安定位置を有する筐体１２などの筐体を、デバイス１０に提供することは、デバイス１０のユーザが、（例えば、位置１００での）凹状の外側表面を有する形状から、（例えば、位置１０４での）凸状の外側表面を有する形状へと、ディスプレイ１４の形状を変更することを可能にし得る。このことは単なる例示に過ぎない。必要に応じて、筐体１２は、２つ以上の安定位置、３つ以上の安定位置、４つ以上の安定位置を有することが可能であり、又は、デバイス１０を任意の位置へと屈曲させることができるように、連続的に可撓性とすることも可能である。
【００８６】
図１８に示すように、筐体１２は、領域１１０などの１つ以上の多安定領域を含み得る。領域１１０は、個別の安定位置を有するヒンジ若しくは他の軸受、筐体１２の他の部分に取り付けられるか若しくは組み込まれる弾性材料を含み得るか、又は、多安定部分１１０に１つ以上の安定位置を提供するための、パターン化された穴、隆起部、突出部、開口部、若しくは形成部を含み得る。領域１１０などの１つ以上の多安定領域を、筐体１２に提供することは、頂部部分１１２、中央部分１１４、及び底部部分１１６などの諸部分が、複数の安定位置へと個別に屈曲することを可能にし得る。
【００８７】
図１９は、１つの多安定領域１１０の近傍の、筐体１２の例示的な一部分を示す。図１９に示すように、筐体１２の多安定領域１１０は、隆起部１１３などの１つ以上の双安定突出部を含み得る。隆起部１１３は、外側（すなわち、凸状の）安定位置及び内側（すなわち、凹状の）安定位置を有する、双安定隆起部とすることができる。矢印１１８によって示されるように、底部部分１１６を屈曲させることにより、隆起部１１３を、デバイス１０内に、又はデバイス１０の外に「弾け」させることができる。筐体１２には、隆起部１１３が内側方向に張り出す構成の安定屈曲位置、及び隆起部１１３がデバイス１０の外側方向に張り出す構成の別の安定屈曲位置を提供することができる。このことは単なる例示に過ぎない。必要に応じて、筐体１２は、図２０に示すように、筐体１２の長さに沿った任意の場所で、双安定部分１１０が形成されることを可能にする形状を有するように、構成することができる。
【００８８】
図２０は、デバイス１０のための側壁の少なくとも一部分を形成する、可撓性の側壁部分１２Ｓ、及び双安定部分１１０を有する裏面エンクロージャをデバイス１０に提供する、凸状裏側部分１２Ｒを有する、筐体１２などの筐体を有する、デバイスの斜視背面図である。図２０に示すように、頂部部分１１２は、位置１２８などの（図２０に示すｘ−ｙ平面内の）実質的に直線状の位置から、ｘ−ｙ平面外にある位置１２４などの屈曲位置に、屈曲させることができる。同様に、底部部分１１６は、ｘ−ｙ平面内の位置１２２などの実質的に直線状の位置から、位置１２０などの屈曲位置に、屈曲させることができる。凸状裏側表面１２Ｒは、デバイス１０に、安定した直線状構成（すなわち、頂部部分１１２及び底部部分１１６が、それぞれ、ｘ−ｙ平面内の位置１２８及び位置１１２にある構成）を提供することができる。凸状裏側表面１２は、頂部部分１１２及び底部部分１１６が、ｘ軸に平行な軸を中心として、ｘ−ｙ平面外に（例えば、それぞれ、位置１２４及び位置１２０へと）屈曲することを可能にする、１つ以上の多安定部分１１０を有し得る。
【００８９】
図２０に示すタイプの屈曲能力を、デバイス１０にもたらすために、デバイス１０には、図２１に示すような、デバイス１０の頂部部分１１２、中央部分１１４、及び底部部分１１６に対応する剛性部分４０などの剛性部分を有する、プリント回路３０を提供することができる。図２１に示すように、剛性部分４０は、可撓性部分４２などの可撓性部分と接続することができる。可撓性部分４２は、フレキシブルプリント回路を使用して実装することができ、又は、剛性部分４０間の構造的接続部を形成するための、可撓性ポリマーとすることができる。必要に応じて、可撓性部分４２は、剛性部分４０間で信号を伝達する、パターン化された導電性トレース（例えば、ポリイミドシートなどの可撓性の基板のシート上の導電性トレース）、構成要素３２などの構成要素、又はデバイス１０の他の構成要素を含み得る。
【００９０】
可撓性の内部構成要素及び外部構成要素を有する、デバイス１０などのデバイスは、開放位置（例えば、平面ディスプレイ上での情報の表示のため）、閉鎖位置（例えば、デバイス１０をオフにするため、デバイス１０を格納するためなど）、又は部分的開放位置へと屈曲させることができる。
【００９１】
図２２に示すように、フレキシブルデバイス１０は、頂部部分１１２及び底部部分１１６上の、ディスプレイ１４の頂部部分が、デバイス１０の中央部分１１４のディスプレイ１４に面するように、頂部部分１１２及び底部部分１１６が折り畳まれる、閉鎖位置１２１などの閉鎖位置を有し得る。閉鎖位置１２１は、デバイス１０を（例えば、ポケット内に）格納するために使用することができる。閉鎖位置１２１などの閉鎖位置でデバイス１０を格納することにより、擦過又は他の損傷からディスプレイ１４を保護することができる。構成要素２４及び構成要素２６などの内部構成要素は、構成要素２４若しくは構成要素２６のもう一方が間近にある場合、又はディスプレイ１４の別の部分が間近にある場合を感知する、近接センサを含み得る。構成要素２４及び構成要素２６などの内部構成要素は、構成要素２４及び／又は構成要素２６によって収集された近接データに基づいて、デバイス１０の動作状態を変更するように（例えば、閉鎖位置１２１にある場合、デバイス１０をオフにするか、又はデバイス１０をスリープ状態若しくは低エネルギー状態にさせるように）構成することができる。
【００９２】
図２３に示すように、フレキシブルデバイス１０は、デバイス１０の部分１２６などの第１の部分が上向きに屈曲する一方で、デバイス１０の部分１２９などの第２の部分が実質的に平坦である、位置１２３などの部分的開放位置を有し得る。部分的開放位置１２３は、ユーザがディスプレイ１４を見る間（例えば、ユーザが、ディスプレイ１４上でテキストを読み、メディア又は他の視覚出力を見る間）、表面上に（例えば、机、テーブル、又は他の表面上に）デバイス１０を安置するために使用することができる。部分的開放位置１２３は、ユーザが、デバイス１０を保持しながら（例えば、本、雑誌、新聞、又は他の紙メディアを保持するために典型的に使用される位置で、デバイス１０を保持しながら）、ディスプレイ１４上でテキストを読むための、より人間工学的な位置を提供することができる。
【００９３】
図２４に示すように、フレキシブルデバイス１０は、デバイス１０が半分に折り畳まれる閉鎖位置１２５などの閉鎖位置を有し得る。閉鎖位置１２５は、デバイス１０を（例えば、ポケット内に）格納するために使用することができる。閉鎖位置１２０などの閉鎖位置でデバイス１０を格納することにより、擦過又は他の損傷からディスプレイ１４を保護することができる。構成要素２４及び構成要素２６などの内部構成要素は、構成要素２４又は構成要素２６のもう一方が間近にある場合、又はディスプレイ１４の別の部分が間近にある場合を感知する、近接センサを含み得る。構成要素２４及び構成要素２６などの内部構成要素は、近接データに基づいて、デバイス１０の動作状態を変更するように（例えば、閉鎖位置１２５にある場合、デバイス１０をオフにするか、又はデバイス１０をスリープ状態若しくは低エネルギー状態にさせるように）構成することができる。
【００９４】
必要に応じて、筐体１２は、図２５に示すように、織物又は他の伸長可能材料、及び内部構成可能支持構造から形成することができる。図２５に示すように、筐体１２は、位置１３０及び位置１３２などの複数の安定位置を有するように構成することができる。位置１３２は、実質的に平坦な位置とすることができる。筐体１２は、伸長可能筐体１２の外部形状を変化させることにより、位置１３０などの更なる安定位置を作り出す、構造１４０などの内部構成可能支持構造を含み得る。図２５の実施例では、筐体１２は、内部構成可能支持構造によって伸長されることにより、位置１３０などの部分的開放位置でデバイス１０を支持するスタンドを形成する。部分的開放位置１３０は、ユーザが、ディスプレイ１４上でテキストを読むか、又は他のメディアを見る間、伸長された筐体１２を使用してデバイス１０を支持しながら、（例えば、机、テーブル、又は他の表面上に）デバイス１０を安置するための、より人間工学的な位置を提供することができる。
【００９５】
図２６は、図２５に関連して上述されたタイプの筐体１２の、形状又は可撓性度を変化させるための、内部ロック式骨格を含む、例示的な内部構成可能支持構造の一部分の斜視図を示す。図２６に示すように、構成可能支持構造１４０などの構成可能支持構造は、ロック式ヒンジ１４４などのロック式ヒンジを有する、脊柱部１４２などの剛性の脊柱部、及びアーム１４６などの１つ以上の分節アームを含み得る。ロック式ヒンジ１４４は、脊柱部１４２が捻転、圧縮、延伸、又は他の方式で操作される場合、係合する（例えば、ロックする）ように構成することができる。
【００９６】
脊柱部１４２は、デバイス１０の筐体１２を、捻転、圧搾、延伸、圧縮、又は他の方式で操作することによって、操作することができ、あるいはデバイス１０へのユーザ入力に基づいて（例えば、ボタン、スイッチ１５（図１）などのスイッチ、タッチ感知ディスプレイなどを使用して）、機械的又は電気的に操作することもできる。アーム１４６は、それぞれ、分節部１４８などの１つ以上の分節部を含み得る分節部１４８は、筐体１２の側壁部に沿って形成される分節部、筐体１２の裏側部分に沿って形成される分節部、及び／又は筐体１２の他の部分の内部に形成される分節部を含み得る。
【００９７】
支持体１４０は、筐体１２内に組み込むことができ（例えば、支持体１４０の上に筐体１２を成形することができ）、又は筐体１２に取り付けることもできる。ヒンジ１４４を係合させることにより、アーム１４６を剛性状態で係合させることができる。ヒンジ１４４を係合解除することにより、アーム１４６を係合解除することができるため、分節部１４８は、独立して移動することができる。それゆえ、ヒンジ１４４の係合及び係合解除により、デバイス１０の物理的状態を、それぞれ、可撓性から剛性に、及び剛性から可撓性に、変更することができる。このことは単なる例示に過ぎない。必要に応じて、内部構成可能支持構造は、図２７に示すように、筐体１２の諸部分内の、空気、気体、又は液体のポケットから形成することができる。
【００９８】
図２７は、図２５に関連して上述されたタイプの筐体１２の、形状又は可撓性度を変化させるための気泡体システムを含む、例示的な内部構成可能支持構造の断面側面図を示す。図２７に示すように、内部構成可能支持構造１４０は、筐体１２内の空洞部１５０などの１つ以上のポケットを含み得る。
【００９９】
空洞部１５０は、材料１５２などの空気、流体、気体、又は他の材料で一時的若しくは恒久的に充填することができる。空洞部１５０は、空洞部１５２から材料１５２を供給及び除去するための１つ以上のチャネル１５４に結合することができる。材料１５２で空洞部１５０を充填することが、筐体１２を硬直させることにより、デバイス１０のための剛性筐体を提供することができる。空洞部１５０から材料１５２を除去することにより、空洞部１５０内部から圧力を軽減して、筐体１２が可撓性になることを可能にし得る。
【０１００】
空洞部１５０は、筐体１２の外部からの機械的操作（例えば、デバイス１０のユーザによる、筐体１２の圧縮又は他の操作）により、又は、デバイス１０へのユーザ入力に基づく（例えば、ボタン、スイッチ１５（図１）などのスイッチ、タッチ感知ディスプレイなどを使用する）、空洞部１５０内の材料１５２の機械的加圧又は電気的加圧により（例えば、空洞部１５０内に材料１５２を移動させるために、電動ポンプ又は他の圧力調節デバイスを使用して）、材料１５２で充填することができる。例えば、一構成では、材料１５２は、筐体１２を硬直させるために（例えば、筐体１２のための剛性支持構造を形成するために）、圧力調節デバイスによって、空洞部１５０内で加圧することができる。別の構成では、材料１５２が、空洞部１５０内で加圧されないことにより、筐体１２を変形させることを可能にすることができる。このことは単なる例示に過ぎない。
【０１０１】
必要に応じて、空洞部１５０は、材料１５２が空洞部１５０の容積を充填するまで、筐体１２を屈曲させることができるように、材料１５２で部分的に充填される場合がある。例えば、筐体１２の変形（屈曲）による空洞部１５０の圧縮によって、空洞部１５０内の材料１５２の圧力が増大するため、筐体１２の可撓性度は、筐体１２の変形の間に減少する可能性がある。必要に応じて、空洞部１５０は、ユーザの手又は身体の形状に（例えば、デバイス１０がポケット内に格納されている間）適合する、変形可能な空洞部とすることができる。変形可能な空洞部は、デバイス１０の人間工学的な特徴を強化することができる。
【０１０２】
それゆえ、空洞部１５０の充填及び排出により、デバイス１０の物理的状態を、それぞれ、可撓性から剛性に、及び剛性から可撓性に、変更することができる。
【０１０３】
一実施形態によれば、変形可能材料から形成されるフレキシブル筐体と、このフレキシブル筐体と共に屈曲するように構成されるフレキシブルディスプレイと、を含む、フレキシブル電子デバイスが提供される。
【０１０４】
別の実施形態によれば、フレキシブル筐体は、変形可能材料から形成されるフレキシブル筐体側壁部、及び変形可能材料から形成される可撓性の裏側筐体壁部を含む。
【０１０５】
別の実施形態によれば、フレキシブル電子デバイスはまた、フレキシブル筐体内に、少なくとも１つの可撓性電子構成要素も含み、フレキシブル筐体、フレキシブルディスプレイ、及び少なくとも１つの可撓性電子構成要素は、フレキシブル電子デバイスが屈曲することを可能にするように構成される。
【０１０６】
別の実施形態によれば、少なくとも１つの可撓性電子構成要素は、フレキシブルプリント回路を含む。
【０１０７】
別の実施形態によれば、少なくとも１つの可撓性電子構成要素は、少なくとも１つの剛性部分及び少なくとも１つの可撓性部分を有する、プリント回路基板を含む。
【０１０８】
別の実施形態によれば、少なくとも１つの可撓性電子構成要素は、開口部、剛性の中央部分、及び少なくとも１つの更なる剛性部分を有する、リジッドプリント回路基板を含み、この開口部は、少なくとも部分的に、剛性の中央部分と少なくとも１つの更なる剛性部分との間に形成され、この開口部により、少なくとも１つの更なる剛性部分は、剛性の中央部分に対して屈曲することが可能となる。
【０１０９】
別の実施形態によれば、フレキシブル電子デバイスはまた、剛性の中央部分に取り付けられた第１の電子構成要素、及び少なくとも１つの更なる剛性部分に取り付けられた第２の電子構成要素を含む。
【０１１０】
別の実施形態によれば、少なくとも１つの可撓性電子構成要素は、フレキシブルバッテリを含む。
【０１１１】
別の実施形態によれば、フレキシブルバッテリは、複数の円筒形バッテリセル、及び複数の可撓性部分を含む。
【０１１２】
別の実施形態によれば、フレキシブルバッテリは、可撓性シート上に取り付けられた複数のバッテリコインセルを含む。
【０１１３】
別の実施形態によれば、フレキシブルバッテリは、複数のカソード層と、複数のアノード層と、複数のアノード層のうちの対応する１つと複数のカソード層のうちの対応する１つとの間にそれぞれが挿入される、複数のセパレータ層と、複数のカソード層のうちの少なくとも１つと複数のアノード層のうちの少なくとも１つとの間に挿入され、かつ複数のセパレータ層のそれぞれよりも潤滑性である、少なくとも１つの潤滑セパレータ層とを含む。
【０１１４】
別の実施形態によれば、フレキシブル電子デバイスはまた、バッテリパウチも含み、複数のカソード層、複数のアノード層、複数のセパレータ層、及び少なくとも１つの潤滑セパレータ層は、このパウチ内でバッテリ層のロールを形成する。
【０１１５】
別の実施形態によれば、フレキシブル筐体は、空洞部、及びこの空洞部を部分的に充填する流体を含み、フレキシブル筐体は、フレキシブル電子デバイスを変形させることを可能にする可撓性度を有し、この可撓性度は、フレキシブル電子デバイスの変形の間の、空洞部内の流体の圧力増大により、フレキシブル電子デバイスの変形の間に減少するように構成される。
【０１１６】
一実施形態によれば、フレキシブル筐体と、フレキシブルディスプレイと、フレキシブルバッテリと、少なくとも１つの可撓性部分を有するプリント回路とを含む、フレキシブル電子デバイスが提供され、フレキシブルディスプレイ、フレキシブルバッテリ、及びプリント回路は、フレキシブル筐体内に取り付けられ、フレキシブル筐体、フレキシブルディスプレイ、フレキシブルバッテリ、及びプリント回路は、フレキシブル電子デバイスの少なくとも一部分の変形を可能にするように構成される。
【０１１７】
別の実施形態によれば、フレキシブル電子デバイスはまた、変形を感知するように構成された内部構成要素を含む。
【０１１８】
別の実施形態によれば、フレキシブル電子デバイスはまた、更なる内部構成要素も含み、この更なる内部構成要素は、その更なる内部構成要素と内部構成要素との距離を感知して、その距離が変形により既定の閾値を下回る場合、フレキシブル電子デバイスの動作モードを変更するように構成される。
【０１１９】
別の実施形態によれば、内部構成要素はスイッチを含み、フレキシブル電子デバイスの少なくとも一部分の変形が、フレキシブル電子デバイスのその部分を、内部構成要素と接触するように移動させることにより、スイッチを操作する。
【０１２０】
別の実施形態によれば、フレキシブルディスプレイは、フレキシルブディスプレイ層、及び可撓性タッチ感知層を含む。
【０１２１】
別の実施形態によれば、フレキシブル筐体は、可撓性度を有する可撓性シート、及びこの可撓性シートの可撓性度よりも小さい可撓性度を有する支持構造を含み、この支持構造は、可撓性シートに取り付けられて、可撓性シートの寸法に沿って延在することにより、その寸法に垂直に延びる軸を中心とする屈曲を低減する。
【０１２２】
別の実施形態によれば、フレキシブル筐体は、少なくとも第１の安定位置及び第２の安定位置を有する、多安定フレキシブル筐体を含み、フレキシブル電子デバイスの少なくとも一部分の変形が、第１の安定位置から第２の安定位置にフレキシブル筐体を変形させる。
【０１２３】
一実施形態によれば、フレキシブルディスプレイと、フレキシブル筐体と、フレキシブル筐体のための構成可能支持構造とを含む、電子デバイスが提供され、この構成可能支持構造は、フレキシブル筐体のための剛性支持構造を構成可能支持構造が形成することを可能にする第１の構成、及びフレキシブル筐体を変形させることを可能にする第２の構成を有する。
【０１２４】
別の実施形態によれば、構成可能支持構造は、剛性の脊柱部、この剛性の脊柱部上のロック式ヒンジ、及び少なくとも１つの分節アームを含み、第１の構成では、ロック式ヒンジがロックされ、第２の構成では、ロック式ヒンジがロック解除され、第１の構成では、少なくとも１つの分節アームは、ロック式ヒンジによって剛性状態で係合される。
【０１２５】
別の実施形態によれば、構成可能支持構造は、フレキシブル筐体内の複数の空洞部、及び複数の空洞部内の流体を含み、第１の構成では、この流体は複数の空洞部内で加圧され、第２の構成では、この流体は空洞部内で加圧されない。
【０１２６】
別の実施形態によれば、電子デバイスはまた、構成可能支持構造の構成を、第１の構成から第２の構成に変化させるスイッチを含む。
【０１２７】
上述の内容は、本発明の原理の単なる例示に過ぎず、本発明の範囲及び趣旨から逸脱することなく、当業者によって様々な修正を実施することができる。
【図１】
2015501461.tif 000003
【図２】
2015501461.tif 000004
【図３】
2015501461.tif 000005
【図４】
2015501461.tif 000006
【図５】
2015501461.tif 000007
【図６Ａ】
2015501461.tif 000008
【図６Ｂ】
2015501461.tif 000009
【図７】
2015501461.tif 000010
【図８】
2015501461.tif 000011
【図９】
2015501461.tif 000012
【図１０】
2015501461.tif 000013
【図１１】
2015501461.tif 000014
【図１２】
2015501461.tif 000015
【図１３】
2015501461.tif 000016
【図１４】
2015501461.tif 000017
【図１５】
2015501461.tif 000018
【図１６】
2015501461.tif 000019
【図１７】
2015501461.tif 000020
【図１８】
2015501461.tif 000021
【図１９】
2015501461.tif 000022
【図２０】
2015501461.tif 000023
【図２１】
2015501461.tif 000024
【図２２】
2015501461.tif 000025
【図２３】
2015501461.tif 000026
【図２４】
2015501461.tif 000027
【図２５】
2015501461.tif 000028
【図２６】
2015501461.tif 000029
【図２７】
2015501461.tif 000030
【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
フレキシブル電子デバイスであって、
変形可能材料から形成されるフレキシブル筐体と、
前記フレキシブル筐体と共に屈曲するように構成されるフレキシブルディスプレイと、を備える、フレキシブル電子デバイス。
【請求項２】
前記フレキシブル筐体が、前記変形可能材料から形成されるフレキシブル筐体側壁部と、前記変形可能材料から形成される可撓性の裏側筐体壁部と、を含む、請求項１に記載のフレキシブル電子デバイス。
【請求項３】
前記フレキシブル筐体内に、少なくとも１つの可撓性電子構成要素を更に備え、前記フレキシブル筐体、前記フレキシブルディスプレイ、及び前記少なくとも１つの可撓性電子構成要素は、前記フレキシブル電子デバイスが屈曲することを可能にするように構成される、請求項２に記載のフレキシブル電子デバイス。
【請求項４】
前記少なくとも１つの可撓性電子構成要素が、フレキシブルプリント回路を含む、請求項３に記載のフレキシブル電子デバイス。
【請求項５】
前記少なくとも１つの可撓性電子構成要素が、少なくとも１つの剛性部分及び少なくとも１つの可撓性部分を有する、プリント回路基板を含む、請求項３に記載のフレキシブル電子デバイス。
【請求項６】
前記少なくとも１つの可撓性電子構成要素が、開口部、剛性の中央部分、及び少なくとも１つの更なる剛性部分を有する、リジッドプリント回路基板を含み、前記開口部が、少なくとも部分的に、前記剛性の中央部分と前記少なくとも１つの更なる剛性部分との間に形成され、前記開口部により、前記少なくとも１つの更なる剛性部分が、前記剛性の中央部分に対して屈曲することが可能となる、請求項３に記載のフレキシブル電子デバイス。
【請求項７】
前記剛性の中央部分に取り付けられた第１の電子構成要素、及び前記少なくとも１つの更なる剛性部分に取り付けられた第２の電子構成要素を更に備える、請求項６に記載のフレキシブル電子デバイス。
【請求項８】
前記少なくとも１つの可撓性電子構成要素が、フレキシブルバッテリを含む、請求項３に記載のフレキシブル電子デバイス。
【請求項９】
前記フレキシブルバッテリが、複数の円筒形バッテリセル、及び複数の可撓性部分を含む、請求項８に記載のフレキシブル電子デバイス。
【請求項１０】
前記フレキシブルバッテリが、可撓性シート上に取り付けられた複数のバッテリコインセルを含む、請求項８に記載のフレキシブル電子デバイス。
【請求項１１】
前記フレキシブルバッテリが、
複数のカソード層と、
複数のアノード層と、
前記複数のアノード層のうちの対応する１つと前記複数のカソード層のうちの対応する１つとの間にそれぞれが挿入される、複数のセパレータ層と、
前記複数のカソード層のうちの少なくとも１つと前記複数のアノード層のうちの少なくとも１つとの間に挿入され、かつ前記複数のセパレータ層のそれぞれよりも潤滑性である、少なくとも１つの潤滑セパレータ層と、を含む、請求項８に記載のフレキシブル電子デバイス。
【請求項１２】
バッテリパウチを更に備え、前記複数のカソード層、前記複数のアノード層、前記複数のセパレータ層、及び前記少なくとも１つの潤滑セパレータ層が、前記パウチ内でバッテリ層のロールを形成する、請求項１１に記載のフレキシブル電子デバイス。
【請求項１３】
前記フレキシブル筐体が、
空洞部、及び
前記空洞部を部分的に充填する流体を含み、
前記フレキシブル筐体が、前記フレキシブル電子デバイスを変形させることを可能にする可撓性度を有し、前記可撓性度が、前記フレキシブル電子デバイスの変形の間の、前記空洞部内の前記流体の圧力増大により、前記フレキシブル電子デバイスの変形の間に減少するように構成される、請求項１に記載のフレキシブル電子デバイス。
【請求項１４】
フレキシブル電子デバイスであって、
フレキシブル筐体と、
フレキシブルディスプレイと、
フレキシブルバッテリと、
少なくとも１つの可撓性部分を有するプリント回路と、を備え、前記フレキシブルディスプレイ、前記フレキシブルバッテリ、及び前記プリント回路が、前記フレキシブル筐体内に取り付けられ、前記フレキシブル筐体、前記フレキシブルディスプレイ、前記フレキシブルバッテリ、及び前記プリント回路が、前記フレキシブル電子デバイスの少なくとも一部分の変形を可能にするように構成される、フレキシブル電子デバイス。
【請求項１５】
前記変形を感知するように構成された内部構成要素を更に備える、請求項１４に記載のフレキシブル電子デバイス。
【請求項１６】
更なる内部構成要素を更に備え、前記更なる内部構成要素が、前記更なる内部構成要素と前記内部構成要素との距離を感知して、前記距離が前記変形により既定の閾値を下回る場合、前記フレキシブル電子デバイスの動作モードを変更するように構成される、請求項１５に記載のフレキシブル電子デバイス。
【請求項１７】
前記内部構成要素がスイッチを含み、前記フレキシブル電子デバイスの前記少なくとも一部分の前記変形が、前記フレキシブル電子デバイスの前記部分を、前記内部構成要素と接触するように移動させることにより、前記スイッチを操作する、請求項１５に記載のフレキシブル電子デバイス。
【請求項１８】
前記フレキシブルディスプレイが、
フレキシブルディスプレイ層と、
可撓性タッチ感知層と、を含む、請求項１４に記載のフレキシブル電子デバイス。
【請求項１９】
前記フレキシブル筐体が、
少なくとも１つの剛性部分と、
前記フレキシブル電子デバイスの前記部分の前記変形を可能にする、少なくとも１つの弾性部分と、を含む、請求項１４に記載のフレキシブル電子デバイス。
【請求項２０】
前記フレキシブル筐体が、
可撓性度を有する可撓性シートと、
前記可撓性シートの前記可撓性度よりも小さい可撓性度を有する支持構造と、を含み、
前記支持構造が、前記可撓性シートに取り付けられて、前記可撓性シートの寸法に沿って延在することにより、前記寸法に垂直に延びる軸を中心とする屈曲を低減する、請求項１４に記載のフレキシブル電子デバイス。
【国際調査報告】
2015501461.tif 000031
2015501461.tif 000032
2015501461.tif 000033
2015501461.tif 000034